(57)【要約】【課題】リビングルームにホームシアターシステムを備えるために適した収納ユニット家具であって、ケーブル等の配線を隠蔽するとともに、ＡＶ機器の設置やその配線作業を容易に行うことのできる変更をすることが可能とする構造のものを提案する。【解決手段】複数のローボード型家具で構成されるベースユニットと、複数のラック型家具で構成されるトップユニットを、上下に配置して構成したユニット家具１において、トップユニットをトールラック５Ｌ・５Ｒ及びスクリーンラック７で正面視門状に構成し、扉３７・３７・・・により閉塞される内部に連続する門状の配線空間を形成した。ベースユニットにはＡＶボード２を備え、その天板の少なくとも一部を開放可能とした。ユニット家具１には、スピーカを収納するためのスピーカ収納部２０・２０・３０・３４を設け、音が通過可能なカバー１０・１０・１２・１５を取り付けた。【選択図】　　　図３
2004081538.tif 000002
【特許請求の範囲】
【請求項１】
複数のローボード型家具で構成されるベースユニットと、複数のラック型家具で構成されるトップユニットを、上下に配置して構成したユニット家具において、
トップユニットを正面視門状に構成し、該トップユニットの内部に正面視門状に連続する配線空間を形成したことを特徴とするユニット家具。
【請求項２】
請求項１に記載のユニット家具において、
ラック型家具に前記配線空間を閉塞する扉を備えたことを特徴とするユニット家具。
【請求項３】
請求項１又は請求項２に記載のユニット家具において、
トップユニットにより包囲された空間にパネルを設け、該パネルにプラズマディスプレイパネルを吊設したことを特徴とするユニット家具。
【請求項４】
複数のローボード型家具で構成されるベースユニットと、複数のラック型家具で構成されるトップユニットを、上下に配置して構成したユニット家具において、
棚状のスピーカ収納部を設け、枠体にクロスを張設して構成したカバーを、該スピーカ収納部に脱着可能に設けたことを特徴とするユニット家具。
【請求項５】
複数のローボード型家具で構成されるベースユニットと、複数のラック型家具で構成されるトップユニットを、上下に配置して構成したユニット家具において、
ベースユニットに、ＡＶ機器を収納するためのＡＶボードを備え、該ＡＶボードの天板を固定板と可動板で構成し、ＡＶボード天板の少なくとも一部を開放可能としたことを特徴とするユニット家具。
【発明の詳細な説明】
【０００１】
【発明の属する技術分野】
本発明は、ＡＶ（オーディオビジュアル）機器を収納することのできるユニット家具に関する。
【０００２】
【従来の技術】
ＡＶ機器の低価格化、コンパクト化が急速に進み、かつてはマニアだけの楽しみであったホームシアターが、今や誰でも手軽に楽しめるものとなりつつある。映像や音楽は殆どの人が気軽に家庭で楽しめるものであるため、その楽しみ方をより一層広げるものとして、ホームシアターは今後ますます普及していくことが見込まれる。
【０００３】
一方、かつては家族の団欒といえば、お茶の間でテレビを見るという光景が一般的なスタイルであった。しかし、時代と共に家族の生活も個人化が進んでいる。このような背景の中で、リビングルームに、その家庭の生活スタイルに沿った機能を積極的に装備しようとする考え方が広がり始めており、ホームシアターもその機能の一つに位置づけられる。
【０００４】
上述のような家庭でのホームシアター構築ための補助的手段として、複数のＡＶ機器をまとめて収納するためのユニット家具が提案されている。
例えば、特開平５−１６８５３７号公報や、特開平５−１２３２２６号公報に記載の技術である。これらの技術では、ＡＶ機器を繋ぐ配線を外観よく隠蔽することを可能としたり、一つのユニット家具にホームシアターを構成する複数のＡＶ機器を一体感や高級感を持たせるように収納したりするための構成が提案されている。
【０００５】
【発明が解決しようとする課題】
上述の如く、リビングルームとしての機能と、ホームシアターとしての機能を両立させるためには、ＡＶ機器を収納するための家具は、インテリアとして部屋に美しく調和するものであることが好ましい。
また、ＡＶ機器を使用可能な状態で収納する際に問題となるのが配線の処理である。ＡＶ機器は記録媒体の種類や、放送媒体の増加に伴い、再生装置及び受信装置等の種類が増加する傾向にある。従って、一般の家庭においても多種多数のＡＶ機器を備えられるようになり、各ＡＶ機器の電気配線と、前記再生装置及び受信装置をセレクターや増幅器やディスプレイに繋ぐ接続用配線とをどう処理するかが問題になっている。特に、近年ではサラウンドスピーカシステムを備えるホームシアターも多く見られ、この場合、ＡＶ機器から離して配置されるスピーカへの接続用配線を隠蔽したり美しく配線したりすることは困難である。
そこで、本発明では、リビングとしての設えを整えながらも、大画面と立体音響によって三次元的な広がりをもつオーディオシステムを備えた住空間を構築することが可能なユニット家具を提案する。
【０００６】
【課題を解決するための手段】
本発明の解決しようとする課題は以上の如くであり、次にこの課題を解決するための手段を説明する。
【０００７】
即ち、請求項１においては、複数のローボード型家具で構成されるベースユニットと、複数のラック型家具で構成されるトップユニットを、上下に配置して構成したユニット家具において、トップユニットを正面視門状に構成し、該トップユニットの内部に正面視門状に連続する配線空間を形成したものである。
【０００８】
請求項２においては、請求項１に記載のユニット家具において、ラック型家具に前記配線空間を閉塞する扉を備えたものである。
【０００９】
請求項３においては、請求項１又は請求項２に記載のユニット家具において、トップユニットにより包囲された空間にパネルを設け、該パネルにプラズマディスプレイパネルを吊設したものである。
【００１０】
請求項４においては、複数のローボード型家具で構成されるベースユニットと、複数のラック型家具で構成されるトップユニットを、上下に配置して構成したユニット家具において、棚状のスピーカ収納部を設け、枠体にクロスを張設して構成したカバーを、該スピーカ収納部に脱着可能に設けたものである。
【００１１】
請求項５においては、複数のローボード型家具で構成されるベースユニットと、複数のラック型家具で構成されるトップユニットを、上下に配置して構成したユニット家具において、ベースユニットに、ＡＶ機器を収納するためのＡＶボードを備え、該ＡＶボードの天板を固定板と可動板で構成し、ＡＶボード天板の少なくとも一部を開放可能としたものである。
【００１２】
【発明の実施の形態】
次に、発明の実施の形態を説明する。
図１は本発明のユニット家具を配設したリビングルームの様子を示す図である。
図２は本発明の第一実施例に係るユニット家具の全体的な構成を示した正面図、図３は同じくユニット家具の内部構成を示す正面図、図４は同じくユニット家具の内部構成を示す右側面断面図、図５は同じくユニット家具の構成を示す斜視図である。図６はセンターパネルの取付過程を示す斜視図、図７はＡＶボードを示す正面斜視図、図８はＡＶボードを示す背面斜視図である。
図９は本発明の第二実施例に係るユニット家具の全体的な構成を示した正面図、図１０は同じくユニット家具の内部構成を示す正面図、図１１は同じくユニット家具の構成を示す斜視図である。
図１２はＡＶボードに取り付けられた扉の様子を示す側面断面図、図１３はトールラックに設けられた配線空間を閉塞する閉塞板の様子を示す図である。
【００１３】
本発明に係るユニット家具１は、図１に示す如く、ホームシアタールームとしても使用されるリビングルームに備えられる。
リビングルームは生活の場であり、従って、ホームシアタールームと併用するためには、ホームシアタールームとするため備えられるＡＶ機器のケーブルや電気ケーブル等を、露出して足で引っ掛けたりすることのないように、また、リビングルームの美観を損ねることのないように、隠蔽して配線する必要がある。
そこで、各ＡＶ機器を使用可能な状態でユニット家具１に収納するとともに、該ユニット家具１に配線空間を確保しているのである。
【００１４】
ユニット家具１には、ホームシアターシステムを備えるときに必要な各ＡＶ機器の電気配線と、各ＡＶ機器を繋ぐ接続用配線をユニット家具１に形成した配線空間に配線することで、外観から隠蔽し、室内の美観を損ねることなく、また、埃が積もらないようにしている。
さらに、ユニット家具１では、配線ルートの変更や、新規のＡＶ機器の増設における配線の増加にも容易に対応できるようにして、ユニット家具１を移動させることなく配線作業を行うことができるようにしている。
【００１５】
また、一連の意匠に基づいて製作されたＡＶ機器を揃えることは、統一感があり美観に優れるという利点があるものの、ＡＶ機器は機能やその購入時期等により意匠は刻々と変化するため難しい。そこで、ユニット家具１に収納されるＡＶ機器が様々な意匠を有していても、統一感を出すことができるようにしている。
【００１６】
ここで、前記ユニット家具１の第一実施例について説明する。
図２乃至図５に示す如く、ユニット家具１は、大概して、ベースユニットと、該ベースユニットの上部に載置されるトップユニットで構成される。
そして、本実施例においては、このユニット家具１に、５．１ｃｈスピーカシステム採用したホームシアターシステムをリビングルームに備えるための機器が収納されている。５．１ｃｈスピーカシステムでは、左右のフロントスピーカ２１Ｌ・２１Ｒと、センタースピーカ２９と、左右のリアスピーカ（図示せず）と、ウーファー３３の、合計六個のスピーカが必要とされる。但し、ホームシアターシステムに備えられるスピーカシステムはこれに限定されるものではなく、例えば、３ＷＡＹスピーカシステムや７．１ｃｈスピーカシステムを採用することもできる。
【００１７】
前記ベースユニットでは、図２の正面左側から、ローボード３、ＡＶボード２、ウーファー収納ボード４の、三つのローボード型家具が連続して配置されている。ベースユニットを構成する各ボード３・２・４は高さ及び奥行きが統一され、全体として略直方体となるようにされて、その上面が略平面を形成している。さらに、これらのベースユニットを構成する各ボード３・２・４は、材質や色が統一されて、一体感を感じることができるように図られている。
【００１８】
ローボード３には、複数の引き出しが備えられ、ビデオテープやＤＶＤ、ＬＤ、ＣＤといった記録媒体やソフト等が収納されている。
ウーファー収納ボード４には５．１ｃｈスピーカシステムに備えられるウーファー３３を収納するためのスピーカ収納部３４と、引き出し１３・１３とが備えられている。スピーカ収納部３４には、枠体にメッシュクロスを張設して構成したカバー１２が脱着可能に取り付けられている。
【００１９】
ＡＶボード２は、左右中央部に設けられたセンタースピーカ２９を収納するためのスピーカ収納部３０と、その左右に設けられたＡＶ機器収納部とで構成されている。本実施例では、センタースピーカ２９の左側方にＰＤＰチューナ３２とビデオデッキ３１が配置され、センタースピーカ２９の右側にはＡＶアンプ３５とＤＶＤプレーヤー３６が配置されている。但し、ＡＶ機器収納部に収納されるＡＶ機器は本実施例に限定されるものでなく、また、その配置も本実施例に限定されるものではない。
【００２０】
図６及び図７にも示す如く、ＡＶボード２の天板は二枚の固定板１７・１９と一枚の可動板１８とが前後に並列して構成されている。可動板１８は前固定板１７と後固定板１９の間に配置され、該可動板１８は、前固定板１７と接している面に取り付けられた蝶番を中心として回動するように構成されている。或いは、可動板１８は、ＡＶボード２から着脱可能に構成されている。
また、前記後固定板１９には、後面に配線ルートを確保するための配線用切欠１９ａが形成されており、該配線用切欠１９ａにより、配線用ケーブルをＡＶボード２背面から該ＡＶボード２の上方へ延出可能としている。
【００２１】
そして、可動板１８と後固定板１９の対峙面１８ａ・１９ｂにはそれぞれに後方へ上がる傾斜が設けられ、さらに、対峙面１８ａ・１９ｂ間隙が設けられている。このようにして、可動板１８を回動させるときに、対峙面１８ａ・１９ｂの間に手を入れて可動板１８の回動又は脱着操作をし易い構造とするとともに、後固定板１９と可動板１８との間に形成された間隙は、ＡＶボード２内の換気ルートとしての役割も果たすように構成されている。さらに、可動板１８と後固定板１９の対峙面１８ａ・１９ｂに傾斜を設けることでＡＶボード２内部への埃の侵入の低減が図られている。
【００２２】
前記ＡＶボード２の正面において、スピーカ収納部３０には、枠体にメッシュクロスを張設して構成したカバー１５が脱着可能に取り付けられている。
また、ＰＤＰチューナ３２、ビデオデッキ３１、ＡＶアンプ３５及びＤＶＤプレーヤー３６等が収納されているＡＶ機器収納部には、ガラス板で形成された開閉可能な扉１４・１４が取り付けられている。図１２に示す如く、扉１４・１４は、上方へ回動し略水平となった状態でＡＶ機器収納部側へ摺動する構成とされ、ＡＶ機器収納部の正面を開放した状態で扉１４・１４がＡＶ機器収納部へ収納されることで、省スペースであるとともに、リビングルームという人の往来のある空間に扉１４・１４を突出させないようにして破損を防止している。
【００２３】
ＡＶ機器収納部の扉１４・１４をガラス板とすることで、ＡＶ機器収納部に収納された各ＡＶ機器の多くは赤外線により信号を送るリモートコントローラで操作可能に構成されており、扉１４・１４を閉めた状態で各ＡＶ機器のリモート操作をできるようにしている。
【００２４】
前記ＡＶボード２は、その背面が部屋の壁に面するとともに、壁面に対して幾分離間して配設されている。後述するが、該ＡＶボード２の上部に配置されたセンターパネル８によりＡＶボード２の背面及び配線用切欠１９ａは外観に露出しないようにされる。
ＡＶボード２の背面は、背面板がなく開放した状態、或いは、背面の一部を覆う背面板を設けて一部を開放した状態とされている。これは、ＡＶボード２に収納されるＡＶ機器により暖められた空気を廃熱するルートを確保するためであり、また、ＡＶボード２に収納されるＡＶ機器を接続するケーブルの配線空間を確保するためであり、さらに、配線作業を容易にするための構成である。
【００２５】
上述の如く構成したＡＶボード２に、ＡＶ機器を収納する際には、可動板１８を回動又は取り外してＡＶボード２の上面の一部を開放して内部が見える状態にしたのち、正面側からＡＶ機器を適当な場所まで挿入する。そして、開放されたＡＶボード２の上面及び背面からＡＶ機器同士のケーブルや電気ケーブルを取り付け或いは配線する。
このように、ＡＶボード２の上面を開放することができるので、ＡＶ機器の設置作業及び配線作業が容易になるとともに、新規にＡＶ機器を増設したり、ＡＶ機器を交換したりする際にも、ユニット家具１を移動させることなく、設置及び配線作業を行うことができる。
【００２６】
一方、前記トップユニットは、左右のトールラック５Ｌ・５Ｒとスクリーンラック７等の複数のラック型家具で構成されている。
上述の如く構成されたベースユニットのうち、ローボード３とウーファー収納ボード４の上部にはトールラック５Ｌ・５Ｒが載置固定され、左右のトールラック５Ｌ・５Ｒは、左右略対称に構成されている。
トールラック５Ｌ・５Ｒの上下略中央部であって、左右中央側には左右のフロントスピーカ２１Ｌ・２１Ｒを収納するためのスピーカ収納部２０・２０が設けられている。スピーカ収納部２０・２０には、枠体にメッシュクロスを張設して構成したカバー１０・１０が脱着可能に取り付けられている。
【００２７】
前述の如く、トールラック５Ｌ・５Ｒに設けられるスピーカ収納部２０・２０のみならず、ＡＶボード２やウーファー収納ボード４に設けられるスピーカ収納部３０・３４も、すなわち、ユニット家具１に設けられた各スピーカ収納部２０・２０・３０・３４には、それぞれ脱着可能にメッシュクロスを張設したカバー１０・１０・１５・１２が取り付けられている。従って、スピーカ２１Ｌ・２１Ｒ・２９・３３から発された音はメッシュクロスを通してスピーカ収納部２０・２０・３０・３４に籠もることなく室内側へ放出される。
【００２８】
そして、スピーカ収納部２０・２０・３０・３４ではスピーカ２１Ｌ・２１Ｒ・２９・３３を固設せず収納するだけであるので、老朽化や故障により取り替えが必要になったときでも所望のスピーカのみを交換したり修理したりすることが容易である。
さらに、スピーカ収納部２０・２０・３０・３４のカバー１０・１０・１５・１２に張設されたメッシュクロスの意匠（色や模様）を統一することで、異なる意匠、大きさのスピーカを採用しても統一感を出すことができ、ユニット家具１に重厚感を与えることができる。また、ＡＶ機器やスピーカの煩雑感を低減させることができて、ホームシアターシステムに高級感を付与することができる。
【００２９】
また、トールラック５Ｌ・５Ｒ本体のスピーカ収納部２０・２０以外には、開閉式の扉３７・３７・・・が取り付けられている。それぞれの扉３７・３７・・・は外側に位置する辺に蝶番等の部材が取り付けられて、右側に配設されたトールラック５Ｒでは、扉３７・３７・・・は右側に開くように、また、左側に配設されたトールラック５Ｌでは扉３７・３７・・・は左側に開ようにトールラック５Ｌ・５Ｒの本体に支承されている。各扉３７・３７・・・は中実に構成され、スピーカから発生される音により振動したり反響したりしないように考慮されている。
【００３０】
さらに、扉３７・３７・・・はその外表面を波状に形成されており、意匠性が高められている。また、これらトールラック５Ｌ・５Ｒに備えられた扉３７・３７・・・が部屋内部において占める面積は大きく、扉３７・３７・・・の表面を平面に形成すれば音の反響が大きくなることが予想されることから、扉３７・３７・・・の表面を波状とすることで音の反響を低減させて、よりホームシアタールームに適した状態を提供している。
【００３１】
前記トールラック５Ｌ・５Ｒのスピーカ収納部２０・２０以外の場所では、適宜仕切板によって縦横に仕切られて収納棚が形成されている。
そして、左側のトールラック５Ｌの左部及び右側のトールラック５Ｒの右部には、上下に長く連続する配線空間２７ｈ・２８ｈが形成されている。トールラック５Ｌ・５Ｒに備えられた扉を開くとき、該扉の一番奥側にある棚は収納物の出し入れがし難く、そこで、ここが配線空間として利用２７ｈ・２８ｈされている。もちろん、この配線空間２７ｈ・２８ｈには、例えば、パターやゴルフクラブ等の長尺物を収納することもできる。
【００３２】
なお、図１３に示す如く、トールラック５Ｌ・５Ｒに取り付けられた扉を開いたときに、前記配線空間２７ｈ・２８ｈに配線されたケーブルが見えるため、配線空間２７ｈ・２８ｈには着脱可能な閉塞板２２・２２が取り付けられる。該閉塞板２２・２２は、配線空間２７ｈ・２８ｈ内部にマグネットにより固定され、容易に着脱できる構成とされ、配線作業時には閉塞板２２・２２を配線空間２７ｈ・２８ｈから外した状態で作業できるようにされている。
【００３３】
さらに、トールラック５Ｌ・５Ｒの最上部には、左右方向に連続する配線空間２７ｗ・２８ｗが形成されている。前記上下方向に連続する配線空間２７ｈ・２８ｈと、この左右方向に連続する配線空間２７ｗ・２８ｗは配線用孔によって連通されている。
【００３４】
そして、前記左右のトールラック５Ｌ・５Ｒ間には、スクリーンラック７が配置され、左右のトールラック５Ｌ・５Ｒとスクリーンラック７でトップユニットは正面視略門状に構成されている。
スクリーンラック７では、該スクリーンラック７の上部において全幅に連続する配線空間２６が形成されている。スクリーンラック７に形成された配線空間２６は、左右のトールラック５Ｌ・５Ｒに形成された左右方向の配線空間２７ｗ・２８ｗと配線用孔によって連通されており、従って、左右のトールラック５Ｌ・５Ｒ及びスクリーンラック７に形成された配線空間２７ｈ・２７ｗ・２６・２８ｗ・２８ｈは連通されて、トップユニットには正面視門状の連続する配線空間が形成されていることとなる。なお、配線空間２６の上下高さは作業者が手を挿入して配線作業ができる程度でよい。
【００３５】
前記スクリーンラック７の配線空間２６の下部にはスクリーンアセンブリ２４が固設され、該スクリーンアセンブリ２４には巻き取った状態のスクリーン２５が引出可能に収納されて、必要に応じて、すなわち、プロジェクタ使用時にスクリーンアセンブリ２４からスクリーン２５を引き出して使用可能な状態とすることができるように構成されている。
【００３６】
前記スクリーンラック７の配線空間２６には、その上辺を蝶番等で回動可能に棚本体に固定され、上方に向かって開く扉３９・３９が取り付けられている。このスクリーンラック７の扉３９・３９も、前記トールラック５Ｌ・５Ｒの扉３７・３７・・・と同様に表面が波状に形成されている。
また、スクリーンラック７の配線空間２６に取り付けられた扉３９・３９は、該配線空間２６より下方へ延出されて、該扉３９・３９によりスクリーンアセンブリ２４も隠蔽されている。従って、プロジェクタを使用しないときには、スクリーン２５は隠蔽され、リビングルームという生活の場に配置されるスクリーン２５が誤って破損したり、汚れたりすることのないようにしている。そして、配線作業のときは裏に回ったり、狭い空間に配線を通したりすることなく、正面側から容易に作業ができる。
【００３７】
上述の如く構成した左右のトールラック５Ｌ・５Ｒとスクリーンラック７で門状に形成されたトップユニットの内部には、ＰＤＰ（プラズマディスプレイパネル）９が配設されている。
ＰＤＰ９を既存の壁に取り付けると、ＰＤＰ９の重さを十分に支えることができず、ＰＤＰ９が落下したり壁が破損したりするという不具合が発生する恐れがある。そこで、ＰＤＰ９取り付けのための下地板として、センターパネル８を設けることにしている。
【００３８】
図５にも示す如く、上下方向に長尺な板状部材である複数のセンターパネル用下地材４０・４０・・・を既存の壁にビスや釘、接着剤等で固定する。センターパネル用下地材４０・４０・・・は、なるべく、既存の壁を介して、該既存の壁の内部に存在する胴縁や柱に取り付けるようにして、強度を保持するようにしている。また、各センターパネル用下地材４０・４０・・・は、離間して配置され、ＰＤＰ９背面に設けられたＰＤＰチューナ３２とのケーブルの入力端子は、正面視においてセンターパネル用下地材４０・４０・・・と重ならないようにされている。
【００３９】
そして、上述の如く固定されたセンターパネル用下地材４０・４０・・・にセンターパネル８が取り付けられる。センターパネル８を取り付けるに先立って、ベースユニット上部にセンターパネル８の最下部を支持するフレーム８ｄが取り付けられる。該フレーム８ｄはＡＶボード２の天板を構成する後固定板１９に形成された配線用切欠１９ａよりも前側に配置され、従って、配線用切欠１９ａはセンターパネル８により隠蔽されることになる。
【００４０】
トールラック５Ｌ・５Ｒとスクリーンラック７で包囲した内部空間と略同様の面積を有するセンターパネル８は、上・中・下の三枚の化粧板８ａ・８ｂ・８ｃで構成されている。このうち、上と中央の化粧板８ａ・８ｂは掛止部材を介してセンターパネル用下地材４０・４０・・・に掛止される。
中央の化粧板８ｂにはＰＤＰ９とＰＤＰチューナ３２を接続するケーブルを通すための配線孔４１が穿設されており、先ず、中央の化粧板８ｂがセンターパネル用下地材４０・４０・・・に掛止され、次に、上の化粧板８ａがセンターパネル用下地材４０・４０・・・に掛止され、そして、ＰＤＰチューナ３２からのケーブルをＡＶボード２の天板に形成された配線用切欠１９ａを通して中央の化粧板８ｂの配線孔４１まで導いたのち、下の化粧板８ｃがセンターパネル用下地材４０・４０・・・にマグネットを介して取り付けられる。
下の化粧板８ｃは、ケーブルのメンテナンスの際に取り外す必要があるため、容易に脱着できるようにしているのである。
【００４１】
上述の如く構成されたセンターパネル８に、ＰＤＰ壁付金具４２を介してＰＤＰ９が吊設され、ＰＤＰ９とＰＤＰチューナ３２を繋ぐケーブルは、ＰＤＰ９の裏面からセンターパネル８に穿設された配線孔４１を通って、センターパネル用下地材４０・４０・・・間を通り、ＡＶベースユニットに形成された配線用切欠１９ａを通ってＰＤＰチューナ３２まで配線される。従って、ＰＤＰ９とＰＤＰチューナ３２を繋ぐケーブルはユニット家具１の外観に露出することなく配線される。
このようにセンターパネル８にＰＤＰ９を吊設することで、ＰＤＰ９の落下の心配なく、また、美観よく配置することができる。また、ＰＤＰ９はあたかも壁付けしているように見ることができ、インテリアの一部としてＰＤＰ９を配設することができる。
【００４２】
上述の如く構成したユニット家具１では、各ＡＶ機器を接続するケーブルを、該ユニット家具１の外観に露出することなく配線することができる。
図３に示す如く、ＡＶボード２に収納される、ＰＤＰチューナ３２やビデオデッキ３１、ＤＶＤプレーヤー３６の各ＡＶ機器はケーブルによってＡＶアンプ３５に接続されている。これらのケーブルは、ＡＶボード２の背面の空間を利用して配線されている。
【００４３】
そして、前記ＡＶアンプ３５には左右のフロントスピーカ２１Ｌ・２１Ｒ、センタースピーカ２９、ウーファー３３、左右のリアスピーカ及びプロジェクタがケーブルによって接続されている。
ＡＶアンプ３５からセンタースピーカ２９及びウーファー３３までのケーブルは、ベースユニットの背面の空間を利用して配線されている。
【００４４】
また、ＡＶアンプ３５とフロントスピーカ２１Ｌ・２１Ｒ及びプロジェクタを接続するケーブルは、先ず、ＡＶアンプ３５の背面から出て、ベースユニットの背面を通り、ローボード３の上方に配設されたトールラック５Ｌの内部において上下方向に設けられた配線空間２７ｈの底面に穿設された配線用孔から、配線空間２７ｈへ導かれる。
そして、ケーブルは配線空間２７ｈの上下中途部において左側のフロントスピーカ２１Ｌへのケーブルが分岐され、同じく上部において右側のフロントスピーカ２１Ｒ及びリアスピーカへのケーブルが分岐される。残りの、左側のリアスピーカとプロジェクタへのケーブルは、配線空間２７ｈの上面に穿設された配線孔よりトールラック５Ｌ・５Ｒの上方へ延出されて、左側のリアスピーカとプロジェクタへ導かれる。
【００４５】
一方、前記配線空間２７ｈ内で分岐した右側のフロントスピーカ２１Ｒ及びリアスピーカへのケーブルは、配線孔を通ってトールラック５Ｌの左右方向に連続する配線空間２７ｗまで至り、さらに、スクリーンラック７の配線空間２６を通って、右側のトールラック５Ｒに設けられた左右方向の配線空間２８ｗまで導かれ、上下方向の配線空間２８まで至る。この上下方向の配線空間２８において右側のリアスピーカへのケーブルと右側のフロントスピーカ２１Ｒへのケーブルとに分岐され、右側のリアスピーカへのケーブルは配線空間２８ｈの上面に穿設された配線用孔を通って右側のリアスピーカへ導かれる。
【００４６】
上述の如く、配線用ケーブルは、家具の内部に形成された或いは家具により隠蔽された配線空間を利用して配線され、正面側から作業ができるため、家具の外観に露出することがなく、家具のインテリア性を損ねることがない。また、家具においても、比較的出し入れしやすい部分は収納のために利用され、収納として出し入れしにくい部分が配線空間として利用されることで、収納空間が有効に利用されている。
そして、一旦配線作業をしてしまえば変更することが困難な場所にケーブルを配線せずに、専門家でなくとも容易に配線作業を行うことができる位置にケーブルを配線することで、ＡＶ機器の修理や、新設等に容易に対応することができ、また、部屋のレイアウトを変更する際にも配線作業を容易に行うことができる。
【００４７】
次に、前記第一実施例に対し、ＰＤＰ９ではなく、大画面テレビ４４を備えたホームシアターシステムを構築するときのユニット家具１Ａの形態を第二実施例として説明する。
【００４８】
図９乃至図１１に示す如く、ベースユニットは、コーナーボード４５、ＡＶボード２、ウーファー収納ボード４の三つのローボード型家具を連続して配置して構成され、コーナーボード４５に大画面テレビ４４が載置され、ウーファー収納ボード４にトールラック５Ｒが載置固定されている。
【００４９】
前記コーナーボード４５は、ＡＶボード２やウーファー収納ボード４と比較して奥行きが大きく、平面視五角形に形成されて、部屋のコーナーに配置するために適した形状とされている。但し、コーナーボード４５は部屋のコーナーに配置することに限定されない。
コーナーボード４５は、比較的奥行きの大きい大画面テレビ４４をユニット家具１より前方に大きく突出しないように設置するために、平面視五角形に形成されており、大画面テレビ４４の配置にコーナー空間が利用されている。
【００５０】
そして、ベースユニットの上方に配置されるトップユニットは、トールラック５Ｒとアッパーラック４６及びスクリーンラック７で構成されている。
コーナーボード４５の上方には、大画面テレビ４４の上下幅に十分な間隔をおいてアッパーラック４６が配設され、該アッパーラック４６とトールラック５Ｒの間にスクリーンラック７が配設されて、アッパーラック４６、スクリーンラック７及びトールラック５Ｒで正面視門状に構成されており、その門状で囲まれた空間にセンターパネル８が配設されている。
【００５１】
コーナーボード４５の上方に配置された前記アッパーラック４６は、左側のフロントスピーカ２１Ｌを収納するスピーカ収納部２０が形成されている。アッパーラック４６のスピーカ収納部２０上方であって、センターパネル８側には上下方向に連続する配線空間５０が形成されている。配線空間５０は、アッパーラック４６の右側面と、スクリーンラック７の左側面にそれぞれ穿設された配線用孔によって、スクリーンラック７に形成された配線空間２６と連通されている。さらに、トールラック５Ｒの内部に形成された上下方向の配線空間２８ｈは、同じくトールラック５Ｒの内部に形成された左右方向の配線空間２８ｗと配線用孔によって連通されており、左右方向の配線空間２８ｗはスクリーンラック７に形成された配線空間２６と配線用孔によって連通されている。
従って、トップユニットを構成するトールラック５Ｒ、スクリーンラック７及びアッパーラック４６には、正面視門状の連続する配線空間２８ｈ・２８ｗ・２６・５０が形成されていることとなる。
【００５２】
そして、前記アッパーラック４６の配線空間５０とスピーカ収納部２０以外の部分には収納棚が形成されている。また、アッパーラック４６のスピーカ収納部２０以外の部分には、開閉式の扉４８・４８・・・が取り付けられ、スピーカ収納部２０には、枠体にメッシュクロスを張設して構成したカバー１０が脱着可能に取り付けられている。
【００５３】
前記センターパネル８には、スクリーンラック７に設けられたスクリーンアセンブリ２４に収納されたスクリーン２５を降ろしたときに、該スクリーン２５が当接しない程度まで前方へ突出した棚４９・４９が設けられている。この棚４９・４９には、絵画や植木、花等を飾ることによって、ユニット家具１Ａを美観に優れた、また、リビングルームに相応しいインテリアとされている。
【００５４】
上述の如く構成されたユニット家具１Ａでは、ＡＶアンプ３５とテレビ４４、ビデオデッキ３１、ＤＶＤプレーヤー３６が、ケーブルにより接続されている。これらのケーブルはＡＶボード２の背面の空間を利用して配線されている。
そして、ＡＶアンプ３５とセンタースピーカ２９、ウーファー３３、左右のフロントスピーカ２１Ｌ・２１Ｒ、左右のリアスピーカ及びプロジェクタがケーブルで接続されている。ＡＶアンプ３５とセンタースピーカ２９及びＡＶアンプ３５とウーファー３３を繋ぐケーブルはベースユニットの背面の空間を利用して配線されている。
【００５５】
また、左右のフロントスピーカ２１Ｌ・２１Ｒ、左右のリアスピーカ及びプロジェクタとＡＶアンプ３５を繋ぐケーブルは、ＡＶアンプ３５の背面から出て、ベースユニットの背面を通り、トールラック５Ｒに形成された上下方向に連続する配線空間２８ｈの底面に設けられた配線用孔を通って該配線空間２８ｈへ導かれる。配線空間２８ｈでは、上下方向中途部においてＡＶアンプ３５と右側のフロントスピーカ２１Ｒを繋ぐケーブルが分岐され、同じく配線空間２８ｈの上部では左側のフロントスピーカ２１ＬとＡＶアンプ３５及び左側のリアスピーカとＡＶアンプ３５とを繋ぐケーブルが分岐される。そして、右側のリアスピーカとＡＶアンプ３５及びプロジェクタとＡＶアンプ３５とを接続するケーブルは、トールラック５Ｒに形成された配線空間２８ｈの上面に穿設された配線用孔を通ってトールラック５Ｒの上方に延出され、右側のリアスピーカ又はプロジェクタまで導かれる。
【００５６】
一方、左側のフロントスピーカ２１ＬとＡＶアンプ３５及び左側のリアスピーカとＡＶアンプ３５を繋ぐケーブルは、トールラック５Ｒに形成された上下方向の配線空間２８ｈと、左右方向の配線空間２８ｗとを連通する配線孔を通って左右方向の配線空間２８ｗまで導かれ、さらに、スクリーンラック７に形成された配線空間２６を通ってアッパーラック４６に形成された上下方向の配線空間５０まで到達する。アッパーラック４６に形成された配線空間５０では、左側のリアスピーカとＡＶアンプ３５を接続するケーブルと、左側のフロントスピーカ２１ＬとＡＶアンプ３５を接続するケーブルとに分岐され、左側のリアスピーカとＡＶアンプ３５を接続するケーブルは、配線空間５０の上部に穿設された配線孔を通ってアッパーラック４６の上方へ延出され、左側のリアスピーカまで導かれる。
【００５７】
このように、第二実施例に係るユニット家具１Ａでも、第一実施例に係るユニット家具１と同様に、家具の外観にケーブルを露出することなく配線することができ、また、そのケーブルのメンテナンスも容易である。
【００５８】
そして、第一実施例及び第二実施例に示されるように、ユニット家具１はホームシアターシステムに装備するＡＶ機器によって、備える家具を変更することが好ましく、また、ユニット家具であるので、各家具を変更してもインテリアとしての統一感を保持することができる。さらに、家具を変更しても、ベースユニットでは、該ベースユニットの背面が配線空間として利用され、また、トップユニットでは、内部に正面視門状の連続した配線空間が形成されて該配線空間を利用してケーブルを配線することにより、家具の外観にケーブルを露出することなく配線することを可能としている。
【００５９】
そして、これらの配線空間を利用した配線は、変更が容易であることを特徴としており、暮らしの変化により、或いは、機器の進化により、ホームシアターシステム及びリビングに備えられる機器は変化することが予想されるが、この変化に容易に対応することができるのである。
【００６０】
さらに、ユニット家具１では、ホームシアターシステムを構成するＡＶ機器を使用可能な状態で収納しながらも、異なる意匠の機器を収納してもまとまりのある統一感を出すことができるようにしている。それは、スピーカはユニット家具１に形成されたスピーカ収納部にそれぞれ収納されたうえ、メッシュクロスを張設したカバーにより、スピーカ自体を外観に露出しないようにしているためである。また、各ＡＶ機器も、ＡＶボード２の扉の設けられた棚に収納されて外観に直接露出しないためである。
また、ホームシアターシステムを構成するＡＶ機器及びスピーカ類は、リビングルームという生活の場にあるため、埃が積もりやすく、また、生活において機器に当接することによって、機器を破損したり或いは良好に作動するよう調節された機器の調子を狂わされたりする可能性が高い。そこで、前述の如く、ＡＶ機器及びスピーカ類を収納することにより、インテリアとしての統一感を持たせるだけでなく、機器を保護しているのである。
【００６１】
【発明の効果】
本発明は、以上のように構成したので、以下に示すような効果を奏する。
【００６２】
即ち、請求項１に示す如く、複数のローボード型家具で構成されるベースユニットと、複数のラック型家具で構成されるトップユニットを、上下に配置して構成したユニット家具において、トップユニットを正面視門状に構成し、該トップユニットの内部に正面視門状に連続する配線空間を形成したので、トップユニットの左右両側に備えた機器にケーブルを配線することができる。
【００６３】
請求項２に示す如く、請求項１に記載のユニット家具において、ラック型家具に前記配線空間を閉塞する扉を備えたので、扉により配線空間を隠蔽することができ、また、扉を開放すれば配線作業を容易に行うことができ配線の変更等が簡易となる。
【００６４】
請求項３に示す如く、請求項１又は請求項２に記載のユニット家具において、トップユニットにより包囲された空間にパネルを設け、該パネルにプラズマディスプレイパネルを吊設したので、比較的重量物でプラズマディスプレイパネルを安定した状態で吊設することが可能となり、また、パネルによりプラズマディスプレイパネルへの接続用ケーブルを隠蔽することができる。
【００６５】
請求項４に示す如く、複数のローボード型家具で構成されるベースユニットと、複数のラック型家具で構成されるトップユニットを、上下に配置して構成したユニット家具において、棚状のスピーカ収納部を設け、枠体にクロスを張設して構成したカバーを、該スピーカ収納部に脱着可能に設けたので、意匠の異なるスピーカを備えても家具としての統一感を出すことができる。
【００６６】
請求項５に示す如く、複数のローボード型家具で構成されるベースユニットと、複数のラック型家具で構成されるトップユニットを、上下に配置して構成したユニット家具において、ベースユニットに、ＡＶ機器を収納するためのＡＶボードを備え、該ＡＶボードの天板を固定板と可動板で構成し、ＡＶボード天板の少なくとも一部を開放可能としたので、ＡＶ機器の設置作業や配線作業が容易となる。
【図面の簡単な説明】
【図１】本発明のユニット家具を配設したリビングルームの様子を示す図。
【図２】本発明の第一実施例に係るユニット家具の全体的な構成を示した正面図。
【図３】同じくユニット家具の内部構成を示す正面図。
【図４】同じくユニット家具の内部構成を示す右側面断面図。
【図５】同じくユニット家具の構成を示す斜視図。
【図６】センターパネルの取付過程を示す斜視図。
【図７】ＡＶボードを示す正面斜視図。
【図８】ＡＶボードを示す背面斜視図。
【図９】本発明の第二実施例に係るユニット家具の全体的な構成を示した正面図。
【図１０】同じくユニット家具の内部構成を示す正面図。
【図１１】同じくユニット家具の構成を示す斜視図。
【図１２】ＡＶボードに取り付けられた扉の様子を示す側面断面図。
【図１３】トールラックに設けられた配線空間を閉塞する閉塞板の様子を示す図。
【符号の説明】
１　ユニット家具
２　ＡＶボード
４　ウーファー収納ボード
５Ｌ・５Ｒ　トールラック
７　スクリーンラック
８　センターパネル
１０・１２・１５　カバー
１７・１９　固定板
１８　可動板
２０・３０・３４　スピーカ収納部
４６　アッパーラック
【図１】
2004081538.tif 000003
【図２】
2004081538.tif 000004
【図３】
2004081538.tif 000005
【図４】
2004081538.tif 000006
【図５】
2004081538.tif 000007
【図６】
2004081538.tif 000008
【図７】
2004081538.tif 000009
【図８】
2004081538.tif 000010
【図９】
2004081538.tif 000011
【図１０】
2004081538.tif 000012
【図１１】
2004081538.tif 000013
【図１２】
2004081538.tif 000014
【図１３】
2004081538.tif 000015